(57)【特許請求の範囲】
【請求項１】
煙突が傾斜屋根を上下に貫通する部分で前記屋根に対し前記煙突を所定角度で固定するための固定金具であって、帯状部材が環状に形成されて前記煙突外周面に固定されるロッキングバンドと、該ロッキングバンド外周面対称位置から遠心方向に突設した対の軸で各々軸着されながら前記屋根側に固定される対の固定体とを備えており、該固定体が、前記屋根の下地に載せた状態で固定されるベース板と該ベース板の基端側で屈曲して前記ロッキングバンドの幅方向に立ち上がった半円形の角度調整板を有して、前記ロッキングバンド外周面から延設され前記角度調整板の周縁側に形成した弧状の切り欠きを挿通してなる締結手段で締結することにより、前記ロッキングバンドの前記固定体に対する角度を固定する固定金具において、
前記ベース板の基端側には前記締結手段を操作する工具を挿通させるための操作窓が形成されており、前記角度調整板を下向きにして前記屋根煙突貫通部に配置した場合に、前記屋根の下地に固定された前記ベース板の操作窓を介して前記工具を挿入しながら前記締結手段を操作することで前記煙突の角度調整と角度固定が可能とされている、ことを特徴とする屋根煙突貫通部の固定金具。
【請求項２】
請求項１に記載した煙突固定金具を、前記角度調整板を下向きにして傾斜屋根に開けた煙突挿通孔を渡した状態で前記両ベース板を前記屋根の下地上面に載せて固定した後、前記ベース板の操作窓を介して前記工具を挿入しながら前記締結手段を操作することにより、前記ロッキングバンドで支持された前記煙突を鉛直の状態に調整して固定する、ことを特徴とする煙突固定方法。
【発明の詳細な説明】
【技術分野】
【０００１】
本発明は、屋根煙突貫通部の固定金具及びそれを用いた煙突固定方法に関し、殊に、傾斜した屋根を上下に貫通して煙突を設ける際に、煙突を鉛直な状態で屋根側に固定するための固定金具、及びそれを用いた煙突固定方法に関する。  
【背景技術】
【０００２】
傾斜した屋根を貫通して煙突を設ける場合、例えば特開２０１０−３７８２４号公報の図４（Ａ）に記載されているような煙突用の固定金具（ルーフサポート）を使用することにより、様々な傾斜角度の屋根に対応しながら鉛直な状態にして煙突を固定することができる。
【０００３】
図４は、このような固定金具１Ｂを用い、薪ストーブ等の燃焼機器から延設された煙突５０を、傾斜した屋根２０に開けた煙突挿通孔２２を挿通して固定した状態を示している。この固定金具１Ｂは、煙突５０の外周に捲いて締結するための帯状のロッキングバンド１５と、このロッキングバンド１５の外周面対称位置から遠心方向に突設した対の軸１４２，１４２で各々軸支されて屋根２０側に固定される対の固定体１４，１４を備えたものである。
【０００４】
そして、その固定体１４，１４は、屋根２０の下地に載せた状態で固定されるベース板１４ｂと、その基端側で屈曲しロッキングバンド１５の幅方向に立ち上がった半円形の角度調整板１４ａを各々有しており、この角度調整板１４ａは周縁に沿って所定角度に亘り形成された弧状の切り欠き１４９を有しており、ロッキングバンド１５外周面から突設され切り欠き１４９を挿通してなる締結手段であるボルト・ナット１４１を回して締結することにより、固定体１４，１４に対するロッキングバンド１５の角度を所望の状態で固定可能とされて、様々な傾斜角度の屋根２０に対応できるようになっている。
【０００５】
ところが、図示したように固定金具１Ｂのロッキングバンド１５は、バンド両端側で対のリブとなって密着しながら遠心方向に突出した締結部１５１を有していることから、この突出部分がしばしば雨仕舞手段であるフラッシング３等に干渉するため、そのフラッシング３を傷つけたり雨仕舞手段の配置の際に邪魔になったりしていた。また、固定金具１Ｂは、その大部分が屋根２０の上面よりも上方に突出することから、煙突５０と煙突挿通孔２２開口部の隙間を覆う下地フラッシングと仕上げフラッシングの設置が困難となりやすく、雨仕舞のための作業を行いにくくしていた。
【０００６】
この場合、固定金具１Ｂを上下逆さにして配置することで、屋根２０上面から突出する部分が少ない平らな状態として、締結部１５１がフラッシング３に干渉しにくい状態にすることが考えられる。しかし、逆に配置することで角度調整板１４ａが下向きになってベース板１４ｂの下に隠れ、屋根上の作業ではボルト・ナット１４１に工具が届きにくい状態となるため、煙突５０の角度の固定や調整作業が極めて行いにくい状態となってしまう。
【先行技術文献】
【特許文献】
【０００７】
【特許文献１】特開２０１０−３７８２４号公報
【発明の概要】
【発明が解決しようとする課題】
【０００８】
本発明は、上記のような問題を解決しようとするものであり、傾斜屋根を貫通した状態で煙突を固定する際に固定金具がフラッシングに干渉しないようにすることを課題とする。
【課題を解決するための手段】
【０００９】
そこで、本発明は、煙突が傾斜屋根を上下に貫通する部分で屋根に対し煙突を所定角度で固定するための固定金具であって、帯状部材が環状に形成されて煙突外周面に固定されるロッキングバンドと、このロッキングバンド外周面対称位置から遠心方向に突設した対の軸で各々軸着されながら屋根側に固定される対の固定体とを備えており、その固定体が、屋根の下地に載せた状態で固定されるベース板とその基端側で屈曲してロッキングバンドの幅方向に立ち上がった半円形の角度調整板を有して、ロッキングバンド外周面から延設され角度調整板の周縁側に形成した弧状の切り欠きを挿通してなる締結手段で締結することにより、ロッキングバンドの固定体に対する角度を固定する屋根煙突貫通部の固定金具において、そのベース板の基端側には締結手段を操作する工具を挿通させるための操作窓が形成されており、角度調整板を下向きにして屋根煙突貫通部に配置した場合に、屋根の下地に固定されたベース板の操作窓を介して工具を挿入しながら締結手段を操作することで煙突の角度調整と固定が可能とされていることを特徴とするものとした。
【００１０】
このように、傾斜した屋根の下地に固定するベース板のロッキングバンド寄りの位置に操作窓を設けたことにより、煙突の角度を固定するボルト・ナットの緩め締め等による締結手段の操作が、スパナ等の工具を操作窓を介して挿入しながらベース板の邪魔にならない状態で容易に行えるものとなる。
【００１１】
また、この煙突固定金具を、角度調整板を下向きにして傾斜屋根に開けた煙突挿通孔を渡した状態で両ベース板を屋根下地上面に載せて固定した後、ベース板の操作窓を介して工具を挿入しながら締結手段を操作することにより、ロッキングバンドで支持された煙突を鉛直の状態に調整して固定する、ことを特徴とした煙突固定方法とすれば、煙突固定金具がフラッシングに干渉するのを回避する目的で上下逆向きで配置した場合でも、締結手段の操作を容易に行いながら短時間で煙突を鉛直な状態にて屋根側に固定できるものとなる。
【発明の効果】
【００１２】
工具を挿入させるための操作窓をベース板に設けた本発明によると、屋根上からでも締結手段の操作が容易に行えることから、傾斜屋根を貫通した状態で煙突を固定する際に固定金具がフラッシングに干渉しないようにすることが可能なものとなる。
【図面の簡単な説明】
【００１３】
【図１】本発明における実施の形態の固定金具の斜視図である。
【図２】図１の固定金具の使用状態を示す縦断面図である。
【図３】図１の固定金具においてボルト・ナットを操作する状況を説明するための斜視図である。
【図４】従来例の固定金具の使用状態を示す縦断面図である。
【発明を実施するための形態】
【００１４】
以下に、図面を参照しながら本発明を実施するための形態を説明する。
【００１５】
図１は本実施の形態である煙突用の固定金具１Ａの斜視図を示している。この固定金具１Ａは、薪ストーブ等の燃焼機器から延設した煙突５０を、傾斜屋根を上下に貫通した状態で煙突挿通孔２２の位置にて屋根側に固定するのに用いられ、屋根２０の様々な傾斜角度に対応しながら煙突５０を鉛直の状態にて支持・固定するものであり、基本的な構成は図４に示した従来の固定金具１Ｂとほぼ共通している。
【００１６】
即ち、この固定金具１Ａは、締結部１２１のネジ１２４，１２４を回して締め付けることで煙突５０に固定されるロッキングバンド１２と、このロッキングバンド１２の外周面対称位置から遠心方向に突設した対の軸１１２，１１２で軸支されて屋根２０側に固定される鋼板を屈曲してなる対の固定体１１，１１とを備えており、その固定体１１，１１は、屋根２０の下地に載せた状態でネジ孔１１５，１１５，・・・を介して木ネジ等で固定されるベース板１１ｂとその基端側で屈曲してロッキングバンド１２の幅方向に立ち上がった半円形の角度調整板１１ａを有している。
【００１７】
この角度調整板１１ａには、周縁部分に沿って約１８０°の角度に亘る弧状の切り欠き１１９が形成されており、ロッキングバンド１２外周面から突設され切り欠き１１９を挿通してなる締結手段である、ボルト・ナット１１１で締結することにより、ロッキングバンド１２の固定体１１，１１に対する角度を所望の状態にて固定することが可能であり、様々な傾斜角度の屋根に比較的容易に対応できるようになっている。
【００１８】
上述したように、従来の固定金具１Ｂのロッキングバンド１５は、遠心方向に突出した締結部１５１を有しているため、これがフラッシング３等の雨仕舞手段に干渉してこれを傷つけたり雨仕舞手段の配設に邪魔になったりしていた。一方、これを上下逆に配置して締結部１５１が干渉しにくい状態にした場合でも、角度調整板１１ａがベース板１１ｂの下側に隠れてボルト・ナット１１１にスパナ等の工具が届かなくなるため、煙突５０の傾斜角度の固定や調整作業が極めて行いにくい状態になってしまう。
【００１９】
そこで、本発明では、ベース板１１ｂ，１１ｂの基端側にボルト・ナット１１１を操作する工具を挿通し操作可能な大きさの操作窓１１０，１１０を開け、角度調整板１１ａを下向きにして屋根２０の煙突貫通部に配置した場合に、屋根２０の下地に固定されたベース板１１ｂの操作窓１１０を介し、ボルト・ナット１１１の締結状態の操作を容易に行えるようにした点を特徴としている。
【００２０】
図２は、図１に示した固定金具１Ａを、角度調整板１１ａ，１１ａを下向きにして屋根２０に形成した煙突挿通孔２２の開口部を渡した状態にて配置し、両ベース板１１ｂ，１１ｂを屋根２０の下地上面に載せて木ネジ等で固定した後、ベース板１１ｂの操作窓１１０を介してスパナ等の工具を挿入しながらボルト・ナット１１１の締結状態の操作を行い、ロッキングバンド１２で外周面を締結・支持された煙突５０を鉛直に支持しながら屋根２０側に固定した状態を示している。
【００２１】
このように、固定金具１Ａを上下逆向きにして配置したことにより、ロッキングバンド１２の締結部１２１はフラッシング３等の雨仕舞手段に干渉しにくい状態となるため、フラッシング３の内径が小さく固定金具１Ａとの隙間が小さいような場合であっても、その設置作業は容易に行えるようになる。
【００２２】
図３は、固定金具１Ａを屋根２０の下地上に木ネジ等で固定した状態で、その締結手段であるボルト・ナット１１を操作する状況を説明するための斜視図である。最初の段階ではボルト・ナット１１，１１は緩んだ状態であり、屋根２０側に固定されたベース板１１ｂ，１１ｂに対するロッキングバンド１２の角度及び煙突５０の角度は固定されていない。そこで、煙突５０を鉛直に調整した状態でベース板１１ｂ基端側に開口した操作窓１１０を介し、スパナ等の工具を矢印の向きで挿入しながらボルト・ナット１１を締め付け、ロッキングバンド１２及び煙突５０の角度を固定して作業が完了する。
【００２３】
このように、ベース板１１ｂに操作窓１１０を設けたことにより、ベース板１１ｂ自体が邪魔になることなく容易にボルト・ナット１１の操作を行えるようになるため、屋根２０の様々な傾斜角度に対応可能としながら煙突５０を短時間で正確な鉛直状態にして固定することができる。
【００２４】
以上、述べたように、傾斜屋根を貫通した状態で煙突を固定する際に、本発明により、固定金具がフラッシングに干渉しないものとなった。
【符号の説明】
【００２５】
１Ａ  固定金具、３  フラッシング、１１  固定体、１１ａ  角度調整板、１１ｂ  ベース板、１２  ロッキングバンド、２０  屋根、２２  煙突挿通孔、５０  煙突、１１０  操作窓、１１１  ボルト・ナット、１１２  軸、１１９  切り欠き、１２１  締結部
【図１】
0005723230.tif 000002
【図２】
0005723230.tif 000003
【図３】
0005723230.tif 000004
【図４】
0005723230.tif 000005